(57)【要約】多糖類のオートクレーブの方法であってここで：ａ）水性溶液に多糖類を溶解し、均質な溶液が得られるまで混合する；ｂ）得られた溶液を少なくとも１つの容器に充填する；ｃ）溶液を含む充填した容器をオートクレーブに配置する；ｄ）容器の少なくとも１にセンサーを配置する；およびｅ）充填した容器をオートクレーブ処理することを含む。【特許請求の範囲】
【請求項１】
多糖類のオートクレーブ処理の方法であって該方法は：
多糖類を約６ないし８のｐＨの水性溶液に溶解し、均質な溶液が得られるまで混合する、
得られた均質溶液を少なくとも１つの容器に、該溶液を含む該少なくとも１つの容器の厚さが１５ｍｍより小さいような量で、配置する、
オートクレーブ内に該均質溶液を含む少なくとも１つの容器を配置する、
該少なくとも１つの容器中にセンサーを配置する、および
該均質溶液を含む少なくとも１つの容器をオートクレーブ処理する
ことを含み、ここで該オートクレーブ処理が前決定温度に該均質な溶液を加熱することを含み、その後冷却はＦ０＞８であるとき開始し、かつここで、該均質溶液が前決定時間にわたり前決定温度以上のままであることを特徴とする方法。
【請求項２】
Ｆ０値はオートクレーブ処理方法中に、最大約１０ないし１２に達する、請求項１の方法。
【請求項３】
均質な溶液を含む容器の厚さが１０ｍｍより小さい、請求項１の方法。
【請求項４】
均質な溶液を含む容器の厚さが７ｍｍより小さい、請求項３の方法。
【請求項５】
容器がプラスチックバッグである請求項１の方法。
【請求項６】
前決定温度が１２１ないし１３０℃の範囲にある、請求項１の方法。
【請求項７】
均質な溶液が約３ないし７分以内に前決定温度に加熱される、請求項６の方法。
【請求項８】
均質な溶液が３ないし６分間前決定温度のままである、請求項７の方法。
【請求項９】
均質な溶液が約５ないし１２分間で約６５ないし９０℃の温度に冷却される、請求項８の方法。
【請求項１０】
オートクレーブ処理方法が約１１ないし２５分間後に完了する請求項９の方法。
【請求項１１】
該多糖類がグルコースアミノグリカンを含む、請求項１の方法。
【請求項１２】
グルコースアミノグリカンは、硫酸ヘパリン、コンドエチン硫酸、またはそれらの塩または誘導体を含む請求項１１の方法。
【請求項１３】
該多糖類がカルボキシメチルセルロース、キサンタン、ガムアラビカム、デンプン、またはそれらの塩または誘導体を含む、請求項１の方法。
【請求項１４】
該多糖類がヒアルロン酸またはそれらの塩または誘導体を含む請求項１の方法。
【請求項１５】
該ヒアルロン酸がヒアルロン酸ナトリウムである請求項１４の方法。
【請求項１６】
ヒアルロン酸ナトリウムが
０．０４５ないし０．０５５ＭのＡｒｇ、ＨＣｌ
０．０４５ないし０．０５５ＭのＧｌｙ、
０．０４５ないし０．０５５ＭのＬｙｓ、ＨＣｌ
０．０１ないし０．１８ＭのＮａＣｌ、
０．０３５ないし０．０４５ＭのＣａＣｌ２２Ｈ２Ｏ
を含むバッファーに溶解され、かつ該ヒアルロン酸塩／エステルが最大約２３ｍｇ／ｍｌの量で溶解される、請求項１５の方法。
【請求項１７】
ヒアルロン酸塩／エステルが１０−２３ｍｇ／ｍｌの量で溶解される、請求項１６の方法。
【請求項１８】
逆圧がバッグの膨張を防ぐため使用される、請求項５の方法。
【請求項１９】
逆圧が窒素ガスの手段によって実施される請求項１８の方法。
【発明の詳細な説明】
【０００１】
技術分野
本発明は、多糖類の大量オートクレーブ処理の方法、特にヒアルロン酸の大量オートクレーブ処理の方法に関する。
【０００２】
背景技術
多糖類は例えば医薬製品で使用される。多糖類の添加でのわれわれの目的は、医薬製品により高い粘性を与えることである。これは例えば取り扱いをより容易にするために、組織処置組成物、例えば粘着性組成物で必要とされる。多糖類はいくつかの場合に、いくつかのタンパク質と混合し、そして通常は医薬製品中で使用されるときに殺菌する必要がある。
【０００３】
タンパク質は、熱に感受性であり得、加熱殺菌できず、通常ろ過殺菌される。しかし、多糖類は、これらの物質の高粘性および高分子量のためにろ過殺菌が不可能である。ゆえに、医薬製品でそれらを使用することのできるために多糖類を殺菌する必要性がある。しかし、多糖類はまた、熱感受性であり、それらは熱によって、及び特にもしそれらが熱処理に長時間費やさねばならないならば分解される。もし、それらが分解されるならば、それらは粘性を失い、もはや有用でなくまったく使用し得ないだろう。
【０００４】
熱感受生産物をいくつかの異なるやり方で殺菌した。ＷＯ００／２４４３３は、熱殺菌中の医薬物質における、熱感受性成分、例えばグルコースの分解を減少させる方法を記載する。これは第一医薬物質を有する第一チャンバーと、第一医薬物質のそれよりもより小さい第二医薬物質のある量を含む少なくとも１つの第二チャンバーを含む多重チャンバーレシピエントを使用することによって作成する。第一チャンバーは、医薬物質を殺菌するため前決定温度に加熱し、そして第二チャンバーは多重チャンバーレシピエントの加熱中に熱的に隔離される。第二チャンバーの熱的隔離が除去され、その結果殺菌温度での第二チャンバーの定義保持時間が取得される。異なるチャンバーの内容物を次いで、一緒に混合しうる。
【０００５】
本発明にしたがう方法は特に、ヒアルロン酸のオートクレーブ処理に関する。米国特許５，６２１，０９３は、化学的殺菌、乾熱および溶液中のヒアルロン酸殺菌に伴う不利益を克服するために固体ヒアルロン酸を蒸気殺菌する方法を記載する。これらは化学的汚染および分子量の減少を生じうる。
【０００６】
Ｈｅａｌｏｎ（登録商標）は、Pharmacia ABによって製造されるヒアルロン酸を含む製品の商標名であり、Ｈｅａｌｏｎ（登録商標）を約１ｍｌの体積の小ガラス容器中で殺菌する。ゆえに、これらの容器は非常に小さい。なお、多糖類特にヒアルロン酸を大量オートクレーブ処理する必要性がある。発明の目的は、前記問題を解決し、以前可能でなかった大量オートクレーブ処理における粘性減少を減少することである。
【０００７】
発明の概要
本発明は、多糖類の大量オートクレーブ処理のための方法であって、溶液中に多糖類を溶解し、溶液を含む容器の厚さが１５ｍｍより小さいような量で、得られた溶液を容器に充填し、そして充填した容器をオートクレーブ処理することを含み、前決定温度へ溶液を加熱し、その後冷却がＦ０＞８のときに開始することを含む。溶液は前決定時間にわたり前決定温度以上のままである。
【０００８】
本発明の従う方法でオートクレーブ処理された、多糖類の粘性は幾分減少するが、許容レベルである。粘性の現象は小さく、粘性はなお十分である。したがって殺菌された溶液は、その目的のために使用でき、というのは方法は、分子量に対して優しい(gentle)。
【図面の簡単な説明】
【０００９】
【図１】プラスチックバッグである、容器の上面図を示す。
【図２】発明の従う溶液を含むプラスチックバッグの図１のラインＩ−Ｉの断面を示す。
【図３】溶液を含む慣行のプラスチックバッグの図１のラインＩ−Ｉの断面を示す。
【図４】オートクレーブチャンバーの温度、容器に配置されたセンサーの温度、および実施例１からの時間に対してプロットされたＦ０値を示す。
【図５】実施例２からのせん断速度に対して、オートクレーブ処理されたヒアルロン酸ナトリウムおよびＨｅａｌｏｎ（登録商標）の粘性カーブを示す。
【００１０】
発明の詳細な記載
発明は、多糖類の大量オートクレーブ処理方法に関し、ここで該方法は約６ないし８のｐＨの水性溶液中に多糖類を溶解し、均質な溶液が得られるまで混合する、
少なくとも１容器中に、溶液を含む容器の厚みが１５ｍｍより小さいようなある量で、得られた溶液を、充填する、
オートクレーブに、溶液を含む充填された容器を配置し、容器の少なくとも１つにセンサーを配置し、そして
充填された容器をオートクレーブ処理し、溶液を前決定温度に加熱し、その後Ｆ０＞８であるとき冷却を開始し、そして溶液が前決定時間にわたり前決定温度以上のままである工程を含む。
【００１１】
オートクレーブの任意の種類を、溶液を前決定温度まで加熱し、その後Ｆ０＞８のとき冷却を開始する限り、使用しうる。開始する冷却は、オートクレーブの冷却であり、そして同じ時間に溶液は冷却される。しかし、溶液をオートクレーブよりもゆっくり冷却し、それは発明に従う方法からの温度を示す図４に見ることができる。Ｆ０値は、方法中に最大約１０−１２に達し、方法は有利に短い時間で完了する。それによって多糖類の分解は減少する。
【００１２】
Ｆは微生物を殺す殺菌工程の能力または殺菌工程の殺菌能力の指標として利用する。それは参照指標であり、殺菌工程中に殺される微生物の特異的速度を意味し、Ｆは１２１℃でのこの特異的死速度を達成するために要する時間を示す。
【００１３】
Ｆ０の概念は、１９７６年に「Proposed Rules for LVP」でＦＤＡによって導入されたとき医薬殺菌で開始し使用された。殺菌の致死効果は、t121.11°について121.11℃の一定温度で実施される仮説殺菌にそれを関連させることによって計算される（121.11℃は250°Fに正確に対応する；簡単のため、われわれはＦ０を、温度１２１．０°に対応するかのように取り扱い続けるものとする）。こうして計算された時間がＦ０である。この計算は、２，３の追加的複雑化を伴って、たとえ殺菌温度がTで一定に維持しないが時間ｔ中その値周辺で変動しても、当然に実行できる。数学的見地では、Ｆ０は、以下のように表現する：
【数１】2004530513.tif 000002
ここでデルタｔ＝Tの測定間の時間間隔
T=時間ｔの殺菌産物の温度
Z=10に等しいと仮定される、温度係数。
【００１４】
容器１を図１に示す。それはプラスチックバッグの上面図であり、それは発明に従う容器の好ましい型である。容器は図に示されるポート３を有する。図１のラインＩ−Ｉの発明に従うプラスチックバッグ1を含む溶液の断面は図２に示す。プラスチックバッグ２を含む慣行の溶液の断面の比較は、図３に示す。
【００１５】
溶液を含む容器の図２に示す厚みｔは、好ましくは１０ｍｍ以下であり、もっとも好ましくは７ｍｍ以下である。容器は好ましくはプラスチックバッグ１であり、プラスチックバッグのための好適な材料はポリテトラフルオロエチレンまたはその他高温に耐えられるポリマー材料である。
【００１６】
チャンバー１は、好ましい実施態様ではプラスチックバッグ１であり、空間中に3次元(extension)を有する。プラスチックバッグは本質的に幅ｗ、長さｌ、および厚さｔを有する。この文脈では、厚さｔは最も小さい値を有する。ゆえに、もしプラスチックバッグ１が支持体上で平らに横たわるならば（前記図１から見られる）、厚さｔは、支持体に対して垂直の次元である。しかし、最も重要なのは、厚さｔが１５ｍｍより小さい値を有することである。バッグ１は可撓性であり、厚さｔは溶液がその内に充填されるとき、より高くなり、バッグ１の厚さｔは最大１５ｍｍになる。プラスチックバッグ１は好ましい容器１であるが、他の容器はまた可能である。それらはまた、本質的に幅ｗ、長さｌおよび厚さｔを有し得、ここで厚さｔは最小値を有する。容器の他の形態たとえば不規則形態はもちろん可能である。しかし容器の厚さｔがあり、それは容器１の空間中の伸張の最小値を有し、この厚さｔは、１５ｍｍよりも小さい。容器は可撓性または剛直である。
【００１７】
オートクレーブすべき多糖類の量は、約２５０ｍｌまたはより大きいことができる。これは以前可能でなかった。もしこれらの量をボトル中に置くならば、殺菌に十分高いボトルの真ん中の温度が達する時間は、長すぎるだろう。そのような長い時間は多糖類を分解する。オートクレーブに使用されるプラスチックバッグは、約1または2リットルの体積を有しうる。もしそのようなバッグがこれらの体積を有して使用されるならば、オートクレーブ処理に要する時間はまた、非常に長く、多糖類は分解する。本発明にしたがって、プラスチックバッグ１を、溶液を含むバッグ１の厚さｔが１５ｍｍより小さいまで、より小さい程度に充填するとき、多糖類のオートクレーブ処理に要する時間はそれほど長くない。多糖類の分解は許容可能である。オートクレーブ処理のためのより短い時間は、充填されたプラスチックバッグにおけるまたは同じ量を含むボトルにおけるよりも、薄いプラスチックバッグにおいて、熱変換がより容易であるためである。
【００１８】
1または2リットルのバッグ中に負荷された体積２５０ｍｌを使用し、というのは、これらのバッグは商業的に利用可能であるからである。他の体積がまた、容器の厚さが例えば15ｍｍ、好ましくは10ｍｍ、もっとも好ましくは7ｍｍより小さい限り可能である。
【００１９】
多糖類は水溶性であり、それは使用される成分の必要な特性である。他の水溶性ポリマーをまた使用しうる。これらは溶液の粘性増加効果を有するべきであり、それは医薬物質での使用のため重要な特性である。粘性はポリマーの濃度及び分子量に依存する。
【００２０】
多糖類は例えば、グルコースアミノグリカンであり得、それらは硫酸ヘパリン、コンドロエチン硫酸（chondroethin sulfate）またはそれらの塩またはそれらの誘導体であり得る。
多糖類はまた、ヒアルロン酸、カルボキシメチルセルロース、キサンタン、ガムアラビカム、デンプンまたはそれらの塩またはそれらの誘導体であり得る。発明にしたがって、多糖類の塩または誘導体をいつも使用し得、またたとえ明示的に述べられないにしても、意味する。
【００２１】
多糖類は好ましくは、ヒアルロン酸またはその塩または誘導体であり、好適なヒアルロン酸は、ヒアルロン酸ナトリウムである。ヒアルロン酸は溶液中で粘性増加し、また医薬物質中で使用されるとき、治療的および薬学的良好効果を有する。
【００２２】
該工程にしたがってオートクレーブ処理される、ヒアルロン酸または多糖類は、医薬物質中での用途に好適である。単純化のために、われわれは以下でヒアルロン酸に言及するが、任意の好適な多糖類をまた使用しうる。医薬物質を生産するために、ヒアルロン酸を、タンパク質と混合しうる。これらは熱感受性であり、オートクレーブ処理できない。タンパク質は通常ろ過殺菌し、次いでヒアルロン酸と混合しうる。
【００２３】
タンパク質の例は、トロンビンであってそれは、ヒアルロン酸と混合しうる。この混合物を他の成分とともに使用し、医薬物質を形成し得、それは粘着性物質、傷治癒物質、止血関係（hemostatis）物質等である。これらの医薬物質を通常、フィブリンまたはフィブリノーゲンと混合する。他の簡便に使用される成分をまた、医薬物質に含めうる。米国特許5,631,011は、医薬物質、例えばフィブリンまたはフィブリノーゲンおよび粘性増加ポリマー例えばヒアルロン酸を含む組織処置組成物を開示する。トロンビンをまた組成物において使用しうる。成分を、組成物を使用するものとするとき、例えば外科手術時に直接的に混合しうる。ヒアルロン酸の殺菌についてこの文書では何も言われてない。しかし、医薬物質を適用するときに使用される量は、通常小さく、本発明にしたがって必要である量の大量オートクレーブ処理の必要性はない。
【００２４】
米国特許5,631,011で記載された、前記組成物でヒアルロン酸を使用するについての有利性は、ヒアルロン酸が組織処置組成物での粘性特性を改善する点である。例えば、水様流体を有する粘着性成分は、グルーを取り扱うとき困難性につながる。溶液では、ヒアルロン酸は非常に延長されたランダムコイルのコンホメーションをとり、それは低濃度ですでに可撓性分子ネットワーク内にもつれ、それはヒアルロン酸塩／エステル興味深いレオロージー的特性を与える。さらに、ヒアルロン酸はまた、治療的および薬学的効果を有する。ヒアルロン酸を処置組成物で使用するとき、粘性は改善し、良好レベルに適応する。なお、より大体積の殺菌されたヒアルロン酸の必要性があり、その問題は本発明によって解決される。ヒアルロン酸が米国特許5631011で使用されるとき、Ｈｅａｌｏｎ（登録商標）が使用され、それは唯一の商業利用可能ヒアルロン酸であった。Ｈｅａｌｏｎ（登録商標）のための用息は非常に小さく約１ｍｌである。なおも、好適なタンパク質、例えばトロンビンとヒアルロン酸を混合するための興味があり、より大量は、ヒアルロン酸をオートクレーブ処理し次いでトロンビンと混合するときに生産しうる。混合されたトロンビン及びヒアルロン酸は次いで更なる工程において、好適なサイズのより小さい容器に分配する。
【００２５】
ヒアルロン酸を好ましくは、タンパク質と混合する。特に好ましいタンパク質はトロンビンである。トロンビンはアルカリまたは酸性環境に感受性であり、したがってトロンビンに適合するオートクレーブ処理のためのバッファーのｐＨは約６ないし８である。補助塩の低含量がまた必要であり、塩化カルシウムをこの目的のために使用し得る。オートクレーブ処理前にヒアルロン酸を溶解するバッファーが、こうしてトロンビンに適合する。この環境はヒアルロン酸のため最適ではなく、それはヒアルロン酸の小分解につながる。しかし、分解はヒアルロン酸の使用のため許容可能である。オートクレーブ処理はまた、ヒアルロン酸を分解し、この分解はまた許容可能である。本発明に従うオートクレーブ処理は最初に、これらの量でまったく可能である。
【００２６】
ヒアルロン酸を好ましくはバッファーに溶解し、バッファーは
０．０４５ないし０．５５ＭのＡｒｇ、ＨＣｌ
０．０４５ないし０．５５５ＭのＧｌｙ、
０．０４５ないし０．０５５ＭのＬｙｓ、ＨＣｌ
０．０１ないし０．１８ＭのＮａＣｌ
０．０３５ないし０．０４５ＭのＣａＣｌ２・２Ｈ２Ｏ
を含み、そしてヒアルロン酸塩／エステルを最大２３ｍｇ／ｍｌの量で溶解する。
【００２７】
ヒアルロン酸塩／エステルは好ましくは、１０−２３ｍｇ／ｍｌの量で溶解する。２３ｍｇ／ｍｌより多いのは不可能であり、もし濃度が１０ｍｇ／ｍｌより低いならば、粘性は十分には高くない。しかし、いくつかの応用において、粘性は高い必要はなく、ヒアルロン酸／エステルはを約０．１−１０ｇ／ｍｌの量で溶解しうる。別の応用では、ヒアルロン酸塩／エステルの濃度は、５−１５ｍｇ／ｍｌであり得る。
【００２８】
ヒアルロン酸塩／エステルを、バッファーに溶解し均質溶液が得られるまで混合する。これは約2日間かかりうる。溶液をプラスチックバッグ1に充填し、それをオートクレーブにおき、センサーをバッグの少なくとも1つに置く。以下の実施例で使用されるバッグは、１７０ｍｍの幅ｗ、１７０ｍｍの長さｌ、７ｍｍの厚さｔを有した。他の長さｌおよび幅ｗは可能であるが厚さはいつも１５ｍｍ以下である。オートクレーブ処理は、溶液を前決定温度まで最初に加熱することによって実施される。この温度は約１２１℃ないし１３０℃であり、溶液を約３ないし７分以内にこの温度に加熱する。オートクレーブの任意の型を使用し得、それはＦ０値を計算することのできるオートクレーブプログラムを有し、冷却はＦ０＞８のとき開始する。冷却はオートクレーブ冷却を意味する。図４では、オートクレーブの冷却はＦ０が約８のときに開始することが見られうる。溶液はまた同じ時間に冷却開始することがまた見られうる。溶液を加熱したら、それは前決定時間、約３ないし６分間にわたり前決定温度を維持する。バッグの膨張を防ぐため、逆圧を使用し得る。該逆圧は窒素ガスの手段によって実施しうる。加熱及び冷却サイクルはできるだけ短いべきであり、分解を回避する。Ｆ０値は最大、オートクレーブ工程中約１０ないし１２に達する。溶液を約６５ないし９０℃の温度に約５ないし１２分間にわたり冷却する。この冷却がオートクレーブの冷却とほぼ同時に開始することが図４に見られうる。全工程約１１ないし２５分後に完了し、それは有利には短時間である。なおより好ましい間隔は１１ないし２０分である。時間限定は殺菌がもはや得られないときであり、これは微生物学的に確認すべきである。
【００２９】
発明に従うように薄いバッグ１を使用するときに、エネルギー転移は急速であり温度勾配は回避される。これはこれら感受性材料の大量オートクレーブ処理の可能性につながり、それは以前これらの量で可能でなかった。
【００３０】
ヒアルロン酸が溶解されるバッファーは、前記トロンビンと混合されるために適合されている。このバッファーは、ヒアルロン酸のために最適ではなく、ヒアルロン酸のいくらかの分解がある。しかし、バッファーのためおよびオートクレーブ処理のための分解は許容可能である。粘性はなお、例えば医薬物質のためでの使用のため十分高い。
【００３１】
ヒアルロン酸はまた、ここに記載の工程に従うさらなるバッファー中でオートクレーブしうる。そのようなバッファーは希薄燐酸バッファーであり得る。しかし任意の好適なバッファーを使用し得る。
【００３２】
全工程が約１１ないし２５分間、好ましくは１１ないし２０分間であることが該工程の有利性であり、および殺菌サイクルはＦ０＞８のとき終結し、すなわち冷却はＦ０＞８のとき開始する。さらに、まず第一に、約２５０ｍｌの量のヒアルロン酸を殺菌することはまったく不可能であった。
【００３３】
もしオートクレーブされたヒアルロン酸がトロンビンとともに使用されるならば、トロンビン及びヒアルロン酸を混合し、終夜転倒攪拌する（tumble）必要がある。混合物を好適な体積を有する容器内に充填する。これらの工程は無菌環境で実施される。
【００３４】
特に定義しない場合、すべての技術的および特異的用語は、本発明の属する分野の当業者によって一般に理解されるのと同じ意味を有する。好適な方法及び材料は、いかに記載し、けれどもここに記載のものと類似または均等な方法及び材料をまた本発明の実務または試験で使用し得る。すべての刊行物、特許出願、特許および他のここに言及の引用は、引用によりその全体をここに含める。定職の場合は、定義を含む本明細書が制御する。加えて材料、方法及び例は例示のみであり、限定を意図しない。いかに本発明を添付実施例で説明し、それは発明の例示を意図し、保護範囲を限定しない。
【００３５】
実施例
実施例１
この例は、バッファー中に溶解したヒアルロン酸ナトリウムをオートクレーブ処理するための工程を示す。オートクレーブチャンバーのための温度、ヒアルロン酸ナトリウムを含む容器の温度および時間に対してプロットしたＦ０は図４に示す。
【００３６】
１８mg／mlのヒアルロン酸ナトリウムを、以下の内容物を有するバッファーに溶解した：
バッファー
０．０５ＭのＡｒｇ、ＨＣｌ
０．０５ＭのＧｌｙ
０．０５ＭのＬｙｓ、ＨＣｌ
０．１６ＭのＮａＣｌ
０．０４ＭのＣａＣｌ２・２Ｈ２Ｏ
【００３７】
６００ｍｌの溶液を作成し、均質溶液が得られるまで転倒攪拌した。これは室温で約２日間かかった。２つのプラスチックバッグを２５０ｍｌの溶液で充填し、その結果内容物を含むバッグの厚さは約７ｍｍであった。幅ｗは１７０ｍｍであり、長さｌは１７０ｍｍであった。バッグの名目値は、１ｌであった。センサーAをバッグのひとつに置き、オートクレーブ処理を開始した。オートクレーブ処理を逆圧を使用するファンオートクレーブ処理プログラムで実施し、冷却はＦ０＞8のとき開始した。図４のカーブは、オートクレーブチャンバー中の温度、センサーAからのバッグ中の温度、および分における時間に対してプロットした計算されるＦ０を示す。チャンバーの加熱及び冷却についてのカーブはオートクレーブに依存する。安全の利用のために、オートクレーブはバッグが８０℃に冷却されるまで閉じる。さもなくばバッグを、容器の温度が１００℃以下であったときに除去した。
【００３８】
温度が約４分後にバッグ中で急速に１２１℃に達することが、図４に見うる。冷却はＦ０＞８のときに開始する。溶液中の温度は、２，３分にわたり約１２１℃以上を維持する。温度はチャンバーの冷却のために減少する。バッグ中の温度が約８０度に達したときに、オートクレーブを開け、バッグを除去する。加熱時間は非常に短く、冷却時間はまたやや短い。慣行の殺菌時間は、冷却および加熱時間を除き、約１２１℃で約３０分であり得る。この実施例の全工程は１７分後に完了した。
【００３９】
実施例２
この例は、本発明にしたがってオートクレーブされたヒアルロン酸塩／エステルの粘性を示し、Ｈｅａｌｏｎ（登録商標）の粘性は比較として示す。
ヒアルロン酸塩／エステルのオートクレーブ処理の２稼動を、異なる時間で行った。１８ｍｇ／ｍｌのヒアルロン酸塩／エステルを以下を含む溶液に溶解した：
０．０５ＭのＡｒｇ、ＨＣｌ
０．０５ＭのＧｌｙ
０．０５ＭのＬｙｓ、ＨＣｌ
０．１６ＭのＮａＣｌ
０．０４ＭのＣａＣｌ２・２Ｈ２Ｏ
【００４０】
この溶液を、約２日間転倒攪拌し、均質溶液を得た。次いで溶液を、実施例１と同じやり方でオートクレーブした。オートクレーブ後、溶液をもう一日転倒攪拌しそれから粘性測定を溶液について実施した。回転式粘度測定を、０．６ｍｌの体積のStress Techレオメーターで３７℃で種々のせん断速度で実施した。
【００４１】
同じ粘度測定を、Pharmacia ABからのＨｅａｌｏｎ（登録商標）について実施した。Ｈｅａｌｏｎ(登録商標）は１０ｍｇ／ｍｌのヒアルロン酸の濃度を有した。結果は図５に示し、ここで粘性は、せん断速度に対してプロットした。
【００４２】
Ｈｅａｌｏｎ（登録商標）は医薬応用のための良好な粘性を有する。本発明にしたがってオートクレーブしたヒアルロン酸塩／エステルはＨｅａｌｏｎ（登録商標）と同じレベルの粘性を有し、それは許容可能レベルである。こうして、発明に従うオートクレーブ処理は、粘性およびヒアルロン酸塩／エステルに優しい。
【００４３】
大量オートクレーブ処理がヒアルロン酸塩／エステルについてなすために可能であり、粘性および分子量は許容可能レベルに減少することが２実施例によって示された。これは新規であり、というのは、ヒアルロン酸の高分解のため、ヒアルロン酸の大量オートクレーブは可能でなかったからである。本発明に従う新規方法は、今可能であり、オートクレーブされたヒアルロン酸は広範囲の応用を有する。
【図４】
2004530513.tif 000003
【図５】
2004530513.tif 000004
【国際公開パンフレット】
2004530513.tif 000005
2004530513.tif 000006
2004530513.tif 000007
2004530513.tif 000008
2004530513.tif 000009
2004530513.tif 000010
2004530513.tif 000011
2004530513.tif 000012
2004530513.tif 000013
2004530513.tif 000014
2004530513.tif 000015
2004530513.tif 000016
2004530513.tif 000017
2004530513.tif 000018
2004530513.tif 000019
2004530513.tif 000020
2004530513.tif 000021
2004530513.tif 000022
【国際調査報告】
2004530513.tif 000023
2004530513.tif 000024